(57)【要約】【課題】燐光性粉末を施した固定ピンにより固定ピンの真偽を判定でき、強引に固定ピンを取り除いた履歴を残すことができる回路基板ケースを提供する。【解決手段】遊技機例えばスロットマシンに内蔵される遊技用回路基板を収容する回路基板ケース１は、主基板を搭載する基板ケース本体３と、この基板ケース本体３を覆う基板ケース蓋部２と、基板ケース本体３の下部に設けられ、回路基板ケース１を前記遊技機の筐体に固定する基板ベース５と、基板ケース本体３、基板ケース蓋部２及び基板ベース５を貫通して一体に固定する固定ピン６ａ〜６ｆを備える。固定ピン６ａ〜６ｆは、燐光性粉末例えば無機質のセラミックを合成樹脂に練り込んで作製される。燐光性粉末は、赤外線レーザーを照射することにより、赤色、緑色、黄色など各種の色を発光するので、固定ピンの取り付け位置及び燐光性粉末の有無から固定ピンの真偽を判定することができる。【選択図】　　　　図１
2004065792.tif 000002
【特許請求の範囲】
【請求項１】
遊技機に内蔵される遊技用回路基板を収容する回路基板ケースであって、
前記回路基板を搭載する基板ケース本体と、
この基板ケース本体の上部に載置され、前記基板ケース本体を覆う基板ケース蓋部と、
前記基板ケース本体の下部に設けられ、前記基板ケース本体及び基板ケース蓋部を前記遊技機の筐体に固定する基板ベースと、
前記基板ケース本体、基板ケース蓋部及び基板ベースを貫通して一体に固定する複数個の固定ピンであって、この固定ピンの少なくとも１つに燐光性粉末が施されている固定ピンと
を備えることを特徴とする、回路基板ケース。
【請求項２】
前記燐光性粉末が施された固定ピンは、赤外線レーザーあるいはその他の光源の照射により異なる色に発色する燐光性粉末が施されていることを特徴とする、請求項１に記載の回路基板ケース。
【請求項３】
前記燐光性粉末が施された固定ピンは、赤外線レーザーあるいはその他の光源の照射により同じ色に発色する燐光性粉末が施されていることを特徴とする、請求項１に記載の回路基板ケース。
【請求項４】
予め決められた所定の取り付け位置に挿入される固定ピンに、燐光性粉末が施されていることを特徴とする、請求項１〜３のいずれか１項に記載の回路基板ケース。
【請求項５】
前記燐光性粉末が施された固定ピンは、合成樹脂製であり、前記燐光性粉末が練り込まれて作製されていることを特徴とする、請求項１〜４のいずれか１項に記載の回路基板ケース。
【請求項６】
前記燐光性粉末が施された固定ピンは、固定ピンに燐光性粉末が互いに異なる所定の文字又は形状で塗布されていることを特徴とする、請求項１〜４のいずれか１項に記載の回路基板ケース。
【請求項７】
回路基板ケースの基板ケース本体、基板ケース蓋部及び基板ベースを貫通して一体に固定する複数個の固定ピンの少なくとも１つに燐光性粉末が施された固定ピンにより所定の取り付け位置を固定するステップと、
前記回路基板ケースの固定ピンに赤外線レーザーあるいはその他の光源を照射するステップと、
前記燐光性粉末が施された固定ピンが予め挿入された所定の位置と、赤外線レーザーあるいはその他の光源の照射により発光した固定ピンが挿入されている位置とを比較するステップと
を含む、回路基板ケースにおける固定ピンの真偽を判定する方法。
【請求項８】
請求項１〜７のいずれか１項に記載の回路基板ケースに使用され、燐光性粉末が施されていることを特徴とする、固定ピン。
【発明の詳細な説明】
【０００１】
【発明の属する技術分野】
本発明は、スロットマシンやパチンコ機等の遊技機に内蔵される遊技用回路基板を収容する回路基板ケース及びその固定ピン並びに固定ピンの真偽を判定する方法に関する。
【０００２】
【従来の技術】
遊技場の遊技機として、例えばスロットマシンあるいはパチンコ機がある。スロットマシンの場合を例にとれば、これは、遊技者が回転するリールの操作を行うものであって、３個のリールを同時にあるいは個々に回転させた後、停止させた時のリールに表示された絵柄の所要組み合わせの成否を楽しむ遊技機である。
【０００３】
図１０は、スロットマシンを示す概略正面図であり、図中、１０は、スロットマシンを示すものである。スロットマシン１０は、同図に示すように、四角箱状の筐体１１を有する。前記筐体１１の中央部及び上部には、遊技者側に向かって臨む四角窓状の表示窓１２が形成されている。そして、この中央部の表示窓１２の中央には、三個の回転リール４０（４２）の図柄６１を見ることができる図柄表示窓１３が形成されている。スロットマシン１０の内部には、スロットマシン１０の全体の動作を制御するための制御装置１００が内蔵されている。
【０００４】
スロットマシンで遊技するときは、遊技場で貸し出される専用のコインをマシンの投入口に投入した後、３個のリールを回転させるレバー３０等の操作具を介してリールを回転させ、個々のリールの回転を停止させる手段５０を介して停止させ、停止時におけるリールの絵柄の組み合わせに応じてコインを獲得するようになっている。
【０００５】
こうしたスロットマシン等の遊技場設置遊技機は、その多くは、各部機構の制御、入賞の確率（スロットマシンなら、上記の有効な組み合わせの成立の確率）処理などを含め、その遊技機全体のコントロールが制御装置１００内に配置されたコンピュータの制御のもとで行われる。
【０００６】
このため、コンピュータを使用する遊技機では、マイクロコンピュータを構成するＣＰＵ、およびＲＯＭをはじめとするメモリ等を組み込んだ制御用の回路基板を有する。ＲＯＭには動作を制御するためのプログラムが記憶されている。そのような回路基板を収容した制御装置１００は、図１０に示すように遊技機本体内部に取り付けられる。かかる基板を備える遊技機は、遊技機製造メーカーから出荷され、遊技場へ納入・設置されて、その遊技場において上述のサービスの用に供される。
【０００７】
この種の遊技機は所定の法的規制を受け、所管官庁による検査の対象ともなる。その際、プログラムを記憶したＲＯＭが不正に交換されていないかどうかも検査される。プログラムが書き換えられると、法律上許される上限を超えてコインが払い出されることになりかねない。
【０００８】
スロットマシンに使用している主基板ケースを対象とした各種不正工作に対するセキュリティを保護するために、主基板ケースのセーフティロック方式が採用されている。主基板ケースのセーフティロック方式の条件は次のようなものである。
（１）主基板ケース内に収納した主基板部については、樹脂ケースに取り付けたセーフティロックを破壊・開封しなければ触れることができない構造であること。
（２）主基板ケースを一旦セーフティロックし遊技機本体に取り付けた場合、セーフティロックを破壊しない限り、主基板ケースは遊技機本体から絶対に取り出せない構造とする。
（３）セーフティロック方式については次の２つの基本構造から選択する。
【０００９】
ア）　主基板ケースの封印と遊技機本体への固定封印を一緒に行う一体型
【００１０】
イ）　主基板ケースの封印と遊技機本体への固定封印をそれぞれ別個に行う分離型
（４）セーフティロックの開封・封印に際してニッパーとか＋か−のドライバを使用して行えるものとして、特殊な工具を必要としない。
（５）セーフティロックに使用する戻り止めネジ、ピン等については、一旦ロックした場合、破損しない限り容易に取り外せない構造であること。
（６）セーフティロック使用時に、その記録が残せるよう主基板ケースの見やすいところにセーフティロック使用記録用紙を貼り、使用時にその記録が残るようにする。
【００１１】
このような条件を満たすセーフティロック方式を採用することにより、不正行為を排除することができる。この種のセーフティロック方式の主基板ケースを備える制御装置１００として図１１に示すものがある。
【００１２】
図１１は従来の主基板ケースの三面図であり、図において、制御装置１００は、主基板４を固定する樹脂ケース本体３と、これを密封する樹脂ケース上蓋２を備える。制御装置１００は、遊技機本体に取り付けられたカシメ封印兼用固定金具５に、樹脂ケース上蓋２の突起部分で戻り止めネジ１０３により固定される。戻り止めネジ１０３はネジを締めることはできるが緩めることができない特殊なネジである。前記突起部分は樹脂ケース上蓋２と一体形成されているので、この部分を切断しない限りケースを取り外すことはできない。
【００１３】
図１１の主基板ケースの場合、封印は次のようにして行われる。
【００１４】
まず、主基板４を取り付けた状態で、ネジ１０１ａ、１０２ａにより樹脂ケース上蓋２を樹脂ケース本体３に取り付ける。これにより主基板４は密封される。ネジ１０１ａ，１０２ａを緩めることが出来ないので、樹脂ケース上蓋２と樹脂ケース本体３を分離することは不可能になる。
【００１５】
次に、ネジ１０１ｂ、１０２ｂにより制御装置１００をカシメ封印兼用固定金具５にネジ止めし、遊技装置の筐体に取り付ける。ネジ１０１ｂ，１０２ｂも緩めることが出来ないので、制御装置１００を取り外すことは不可能になる。
【００１６】
所轄官庁の立入検査のとき、あるいは障害などによりやむを得ず制御装置１００を取り外すときには、図１１の×印の部分を切断し制御装置１００を取り外したり、樹脂ケース上蓋２を取り外す。すなわち、制御装置１００を取り外す場合、ネジ１０１ｂ、１０２ｂ部分の樹脂ケース上蓋２の突起部分を×印の部分で切断する。樹脂ケース上蓋２を取り外す場合、ネジ１０１ａ，１０２ａの同じ部分を切断する。
【００１７】
図１１の主基板ケースによれば、通常、制御装置１００やケース２を取り外すことができない。ケースの突起部分を破壊すれば取り外すことができるものの、その場合必ずその痕跡が残り、万一誰かかが不正にケースを開けたとしてもそのことを容易に発見できる。したがって、図１１の主基板ケースは前述の条件を満足するものである。
【００１８】
【発明が解決しようとする課題】
従来は主基板のケースを開かないようにするために、戻り止めネジ１０３を使用していたが、このネジは特殊工具を使用することで簡単に開けることができる場合があり、再使用されても外部からは判りにくく、ゴトの対策としては不十分であるという問題点があった。
【００１９】
この発明はかかる課題を解決するためになされたもので、固定用のピンに燐光性粉末を施したピンを使用し、強引にピンを取り除いて再びそのピンを挿入した場合にも履歴を残すことができ、その履歴を容易に確認することができる回路基板ケース及びこの回路基板ケースに使用する固定ピン並びに回路基板ケースにおける固定ピンの真偽を判定する方法を提供することを目的とする。
【００２０】
【課題を解決するための手段】
この発明に係る回路基板ケースは、遊技機に内蔵される遊技用回路基板を収容する回路基板ケースであって、前記回路基板を搭載する基板ケース本体と、この基板ケース本体の上部に載置され、前記基板ケース本体を覆う基板ケース蓋部と、　前記基板ケース本体の下部に設けられ、前記基板ケース本体及び基板ケース蓋部を前記遊技機の筐体に固定する基板ベースと、前記基板ケース本体、基板ケース蓋部及び基板ベースを貫通して一体に固定する複数個の固定ピンであって、この固定ピンの少なくとも１つに燐光性粉末が施されている固定ピンとを備える。
【００２１】
好ましくは、前記燐光性粉末が施された固定ピンは、赤外線レーザーの照射により異なる色に発色する燐光性粉末が施されている。
【００２２】
好ましくは、前記燐光性粉末が施された固定ピンは、赤外線レーザーの照射により同じ色に発色する燐光性粉末が施されている。
【００２３】
好ましくは、予め決められた所定の取り付け位置に挿入される固定ピンに、燐光性粉末が施されている。
【００２４】
好ましくは、前記燐光性粉末が施された固定ピンは、合成樹脂製であり、前記燐光性粉末が練り込まれて作製されている。
【００２５】
好ましくは、前記燐光性粉末が施された固定ピンは、固定ピンに燐光性粉末が互いに異なる所定の文字又は形状で塗布されている。
【００２６】
この発明に係る回路基板ケースにおける固定ピンの真偽を判定する方法は、回路基板ケースの基板ケース本体、基板ケース蓋部及び基板ベースを貫通して一体に固定する複数個の固定ピンの少なくとも１つに燐光性粉末が施された固定ピンにより所定の取り付け位置を固定するステップと、前記回路基板ケースに赤外線レーザーを照射するステップと、前記燐光性粉末が施された固定ピンが予め挿入された所定の位置と、赤外線レーザーの照射により発光した固定ピンが挿入されている位置とを比較するステップとを含む。
【００２７】
この発明に係る固定ピンは、請求項１〜７のいずれか１項に記載の回路基板ケースに使用され、燐光性粉末が施されている。
【００２８】
【発明の実施の形態】
発明の実施の形態１．
【００２９】
図１は、この発明の実施の形態１に係る回路基板ケースの要部を示す分解斜視図であり、図２は、固定ピンを基板ケース蓋部の開口部に挿入した状態を示す概略部分拡大平面図である。
【００３０】
これらの図において、遊技機例えばスロットマシンに内蔵される遊技用回路基板を収容する回路基板ケース１は、主基板を搭載する基板ケース本体３と、この基板ケース本体３の上部に載置され、基板ケース本体３を覆う基板ケース蓋部２と、前記基板ケース本体３の下部に設けられ、回路基板ケース１を前記遊技機の筐体（図１０参照）に固定する基板ベース５と、前記基板ケース本体３、基板ケース蓋部２及び基板ベース５を貫通して一体に固定する固定ピン６ａ〜６ｆを備える。なお、回路基板ケース１内に主基板等を搭載したものが制御装置となる。また、固定ピンの個数は、特に６個に限定するものではなく、所望により種々の個数が使用できる。
【００３１】
固定ピン６ａ〜６ｆは、合成樹脂製であり、燐光性粉末例えば無機質のセラミックをこの合成樹脂に練り込んで作製することができる。すなわち、燐光性粉末を従来法により所定の割合で練り込んだ合成樹脂を、金型に注入することにより固定ピン６ａ〜６ｆを形成することができる。燐光性粉末は、赤外線レーザーを照射することにより、赤色、緑色、黄色、青色、紫色、透明など各種の色の光を発するので、即時、かつ容易に燐光性粉末の混入、付着の有無を識別することができる。図２の場合は、例えば赤色に発色する燐光性粉末を合成樹脂に練り込んだ固定ピン６ａ〜６ｆを使用している。
【００３２】
上記燐光性粉末の具体例をひとつ挙げればＳｔａｒｄｕｓｔ　Ｔｅｃｈｎｏｌｏｇｉｅｓ社のＳｔａｒｄｕｓｔ（商品名）を利用可能である。これは半永久的に変質せず、暗い場所あるいは明るい場所で作用するとともに、製造原材料に混入する形で使用できる。また、無機質のセラミックであるため高温でも変質しない。その粒子は平均１．４ミクロンと微小である。
【００３３】
次に、回路基板ケース１の動作について説明する。
【００３４】
まず、遊技用回路基板を搭載する基板ケース本体３に基板ケース蓋部２を載せ、これらを基板ベース５上に載置する。次に、固定ピン６ａ〜６ｆを基板ケース蓋部２の開口部２ａから挿入し、基板ケース本体３、基板ケース蓋部２及び基板ベース５は一体として固定される。
【００３５】
もし、固定ピン６ａ〜６ｆを引き抜いて、代わりに燐光性粉末を練り込んでいない類似な固定ピンを挿入した場合、回路基板ケース１の外側から赤外線レーザー探知機（図示しない）例えばペン型の赤外線レーザー探知機により赤外線を照射すると、類似な固定ピンの場合には発色が起こらない。従って、回路基板ケース１の基板ケース蓋部２を不正に開けて、固定に使用されていたものと異なる固定ピンを使用した場合には、固定ピンの真偽を判定することができ、基板ケース蓋部２を開けたことを容易に判別することができる。
発明の実施の形態２．
【００３６】
発明の実施の形態１では、赤色に発色する燐光性粉末を合成樹脂に練り込んだ固定ピン６ａ〜６ｆを使用した場合について説明した。しかし、本発明はこれに限定されるものではなく、図３〜５に示すように、燐光性粉末を付着、塗布又は印刷することにより固定ピンに施してもよい。これらの図において、同じ色例えば赤色に発色する燐光性粉末を用いて、固定ピンの頭部に互いに異なる数字（図３）、アルファベット（図４）、図形（図５）を塗布したものを使用した回路基板ケース１である。
【００３７】
この場合、予め、どの数字の固定ピンがどの場所に固定されるかを回路基板ケース１の設置者側で設定しておき、その設定と、赤外線レーザー探知機で検査した後の配置とを比較し、固定ピンの真偽を判定することができる。固定ピンの位置が異なっていた場合には、基板ケース蓋部２を開けたことを容易に判別することができる。すなわち、一旦固定ピン６ａ〜６ｆを引き抜いて、異なる場所に固定ピン６ａ〜６ｆを挿入すると、場所の違いを容易に判定できる。なお、赤色に発色する燐光性粉末に限らず、上述した他の色に発色する燐光性粉末も同様に使用することができる。また、発明の実施の形態１では、燐光性粉末を合成樹脂に練り込んだ場合について説明したが、この発明の実施の形態では固定ピンに塗布するため、金属製の固定ピンを使用することも可能である。
発明の実施の形態３．
【００３８】
発明の実施の形態２では、赤色に発色する燐光性粉末を用いて、固定ピンの頭部に互いに異なる数字（図３）、アルファベット（図４）、図形（図５）を塗布したものを使用した回路基板ケース１について説明したが、発明の実施の形態３では、図６に示すように、６本の固定ピン６ａ〜６ｆについてそれぞれ異なる色に発色する燐光性粉末を塗布した固定ピンを使用した回路基板ケース１である。
【００３９】
この場合、予め、どの色に発色する固定ピンがどの場所に固定されるかを回路基板ケース１の設置者側で設定しておき、その設定と、赤外線レーザー探知機で検査した後の配置とを比較し、固定ピンの位置が異なっていた場合には、基板ケース蓋部２を開けたことを容易に判別することができる。
発明の実施の形態４．
【００４０】
発明の実施の形態１〜３では、固定ピン６ａ〜６ｆの全てが燐光性粉末を施した固定ピンを使用した回路基板ケース１について説明したが、本発明はこれに限定されるものではなく、図７〜９に示すように、燐光性粉末を施した固定ピンと、燐光性粉末を施さない固定ピンとを併用した場合であってもよい。図７は、互いに異なる色に発色する燐光性粉末を施した固定ピンと、燐光性粉末を施さない固定ピンを使用した場合であり、図８は、同じ色（例えば赤色）に発色する燐光性粉末を施した固定ピンと、燐光性粉末を施さない固定ピンを使用した場合であり、図９は、数字で区別され、かつ同じ色（例えば赤色）に発色する燐光性粉末を施した固定ピンと、燐光性粉末を施さない固定ピンとを使用した場合である。
【００４１】
すなわち、予め、燐光性粉末を施した固定ピンがどの場所に固定されるかを回路基板ケース１の設置者側で設定しておき、その設定と、赤外線レーザー探知機で検査した後の配置とを比較し、燐光性粉末を施した固定ピンと、そうでない固定ピンとの配置が異なっていた場合には、基板ケース蓋部２を開けたことを容易に判別することができる。
【００４２】
本発明は、以上の実施の形態に限定されることなく、特許請求の範囲に記載された発明の範囲内で、種々の変更が可能であり、それらも本発明の範囲内に包含されるものであることは言うまでもない。
【００４３】
なお、上記説明において燐光性粉末を発色させるために赤外線レーザーを用いたが、そのための光源はこれに限定されない。赤外線以外のレーザーその他の光源、ブラックライト、紫外線光源などであってもよい。これらの光の照射を受けて発光するものとして燐光性粉末に限定されない。同様の作用効果を奏するものであれば、本発明に係る燐光性粉末に代えて、あるいはこれとともに用いることができる。
【００４４】
【発明の効果】
以上のとおり、本発明によれば、回路基板ケースに燐光性粉末を施した固定ピンを使用し、強引にピンを取り除いて再びそのピンを挿入した場合にも、挿入位置から固定ピンの真偽を判定することができ、強引に固定ピンを取り除いた履歴を残すことができ、回路基板ケースの開閉を容易に判別することができるという効果を奏する。
【図面の簡単な説明】
【図１】この発明の実施の形態１に係る回路基板ケースの要部を示す分解斜視図である。
【図２】この発明の実施の形態１に係る燐光性粉末を施した固定ピンを示す概略部分拡大平面図である。
【図３】この発明の実施の形態２に係る燐光性粉末を施した固定ピンを示す概略部分拡大平面図である。
【図４】この発明の実施の形態２に係る燐光性粉末を施した固定ピンを示す概略部分拡大平面図である。
【図５】この発明の実施の形態２に係る燐光性粉末を施した固定ピンを示す概略部分拡大平面図である。
【図６】この発明の実施の形態３に係る燐光性粉末を施した固定ピンを示す概略部分拡大平面図である。
【図７】この発明の実施の形態４に係る燐光性粉末を施した固定ピンを示す概略部分拡大平面図である。
【図８】この発明の実施の形態４に係る燐光性粉末を施した固定ピンを示す概略部分拡大平面図である。
【図９】この発明の実施の形態４に係る燐光性粉末を施した固定ピンを示す概略部分拡大平面図である。
【図１０】（ａ）はスロットマシンを示す概略正面図であり、（ｂ）はスロットマシンの要部概略側断面図である。
【図１１】従来の主基板ケースの三面図であり、（ａ）は主基板ケースの上面図、（ｂ）は同右側面断面図、（ｃ）は同下側側面断面図である。
【符号の説明】
１　　回路基板ケース
２　　基板ケース本体
３　　基板ケース本体
４　　主基板
５　　基板ベース
５ａ　開口部
６ａ〜６ｆ　固定ピン
【図１】
2004065792.tif 000003
【図２】
2004065792.tif 000004
【図３】
2004065792.tif 000005
【図４】
2004065792.tif 000006
【図５】
2004065792.tif 000007
【図６】
2004065792.tif 000008
【図７】
2004065792.tif 000009
【図８】
2004065792.tif 000010
【図９】
2004065792.tif 000011
【図１０】
2004065792.tif 000012
【図１１】
2004065792.tif 000013